(57)【特許請求の範囲】
【請求項１】
化学式酸素発生機であって、
内部と、前記内部に位置付けられた核心部とを有する本体と、
バネと、前記バネを圧縮状態に維持するよう構成されたピンと、プランジャとを備える点火システムとを備え、
前記核心部の上面は、凹部を備え、
前記化学式酸素発生機は、前記点火システムの大部分が前記本体の前記内部に収容され前記点火システムの前記大部分を除く部分のみが前記本体の外部に位置付けられるように、前記点火システムを前記本体に据え付けるフランジをさらに備え、
前記フランジは、前記バネの大部分と前記プランジャの大部分とが収容される、フランジ内部を備え、
前記フランジ内部は、前記核心部の前記凹部内まで延びており、
前記フランジの一部は、前記本体の外部に位置付けられている化学式酸素発生機。
【請求項２】
前記ピンは前記化学式酸素発生機の前記本体の外部にある請求項１に記載の化学式酸素発生機。
【請求項３】
前記本体の外部にある前記点火システムの前記大部分を除く部分の高さは約０．６３５ｃｍである請求項１に記載の化学式酸素発生機。
【請求項４】
前記ピンが解放されるとき、前記バネは、前記圧縮状態から伸長し、前記核心部に点火する導火キャップ内に前記プランジャを打ち込む請求項１に記載の化学式酸素発生機。
【請求項５】
化学式酸素発生機であって、
内部と、前記内部に位置付けられた核心部を備える本体であって、前記核心部は点火されると燃えて酸素を発生させ、前記核心部の上面が凹部を含む本体と、
バネと、前記バネを圧縮状態に維持するよう構成されたピンと、プランジャとを備える点火システムと、
前記点火システムの大部分が前記内部における前記核心部の上面と前記本体との間に位置付けられ、前記点火システムの前記大部分を除く部分が前記本体の外部に位置付けられるように、前記点火システムを前記本体に据え付けるフランジとを備え、
前記フランジは、前記バネと前記プランジャの少なくとも一部とが収容される、フランジ内部を備え、
前記フランジ内部は、前記核心部の前記凹部内まで延びており、
前記バネは、前記フランジ内部で収縮位置から伸長位置に伸びることにより、前記プランジャを前記フランジ内部で移動させ、
前記バネが前記伸長位置まで伸びている状態では、前記プランジャの少なくとも一部分は、前記フランジ内部のうち前記凹部内に位置する部分に到達する化学式酸素発生機。
【請求項６】
前記ピンは前記化学式酸素発生機の前記本体の外部にある請求項５に記載の化学式酸素発生機。
【請求項７】
前記本体の外部にある前記点火システムの前記大部分を除く部分の高さはおおよそ０．６３５ｃｍである請求項５に記載の化学式酸素発生機。
【請求項８】
前記ピンが解放されるとき、前記バネは、前記圧縮状態から伸長し、前記核心部に点火する導火キャップ内に前記プランジャを打ち込む請求項５に記載の化学式酸素発生機。
【請求項９】
化学式酸素発生機であって、
内部と、前記内部に位置付けられた核心部を備える本体であって、前記核心部は点火されると燃えて酸素を発生させ、前記核心部の上面が凹部を含む本体と、
バネと、前記バネを圧縮状態に維持するよう構成されたピンと、プランジャとを備える点火システムと、
前記点火システムを前記本体に据え付けるフランジとを備え、
前記フランジは、前記バネと前記プランジャの少なくとも一部とが収容される、フランジ内部を備え、
前記フランジ内部は、前記核心部の前記凹部内まで延びており、
前記バネの大部分と前記プランジャの大部分とが前記本体の前記内部に収容され、前記点火システムのわずかな部分のみが前記本体の外部にあり、
前記本体の外部にある前記点火システムのわずかな部分の高さは約０．６３５ｃｍであり、
前記ピンが解放されるとき、前記バネは、前記フランジ内部で収縮位置から伸長位置に伸びることにより、前記プランジャを前記フランジ内部で移動させ、前記核心部に点火する導火キャップ内に前記プランジャを打ち込むように構成され、
前記バネが前記伸長位置まで伸びている状態では、前記バネの少なくとも一部分は、前記フランジ内部のうち前記凹部内に位置する部分に到達する化学式酸素発生機。
【請求項１０】
前記ピンは前記化学式酸素発生機の前記本体の外部にある請求項９に記載の化学式酸素発生機。
【発明の詳細な説明】
【技術分野】
【０００１】
本願は２０１３年１０月１１日に出願され、「化学式酸素発生機用小型点火システム」と題された米国仮出願第６１／８８９，６５８号に基づく優先権を主張し、その開示をここに援用して本文の記載の一部とする。
【０００２】
本発明の実施形態は、一般に、化学式酸素発生機用点火システムに関する。
【背景技術】
【０００３】
化学式酸素発生機は、その内部で誘発された化学反応によって生成された酸素を放出するよう構成されている。化学式酸素発生機は、航空機内で呼吸用酸素を貯蔵することを含むがそれには限定されない、様々な用途及び産業において用いられる。化学式酸素発生機は、典型的には、酸素を発生させる化学反応を引き起こす点火システムを含む。従来の化学式酸素発生機では、酸素発生機内の空間の制約により、点火システムの大部分は酸素発生機の本体の外側にある。
【発明の概要】
【０００４】
この特許において用いられている「発明」、「前記発明」、「この発明」、「本発明」という用語は、この特許と以下の特許請求項の主題事項全てに広く言及するように意図されている。これらの用語を含む記載は、本文に記載される主題事項又は以下の特許請求項の意味もしくは範囲を限定するものではないことが理解されるべきである。この特許により保護される発明の実施形態は以下の特許請求の範囲によって定められるものであり、この「発明の概要」によって定められるものではない。この「発明の概要」は、本発明の様々な態様の大まかな概要であり、後述の「発明を実施するための形態」においてさらに記載される概念のいくつかを提起するものである。この「発明の概要」は、請求項の主題事項の重要又は必須の特徴を特定することを意図するものではなく、請求項の主題事項の範囲を定めるために単独で用いられることを意図するものでもない。主題事項は、この特許の全明細書、全図面、及び各請求項を参照することにより理解されるべきである。
【課題を解決するための手段】
【０００５】
化学式酸素発生機用小型点火システムについて開示する。小型点火システムは、その大部分が化学式酸素発生機の本体の内側に含まれるように構成されているので、いかなる長さの発生機の酸素発生容積も増加させる。いくつかの実施形態において、化学式酸素発生機の核心部（コア）の上面は、点火システムを収容するように設計された凹部を含む。
【図面の簡単な説明】
【０００６】
本文に添付された特許請求項を実行する最良の態様を含み且つ当業者を対象とした、十分且つ実施可能な開示が、明細書の残りの部分においてより具体的に記載されている。明細書においては図面が参照され、図面において、異なる特徴に対して同様の参照番号が用いられている場合は、同様の又は類似している要素を説明することを意図している。
【０００７】
【図１】図１は、一実施形態に従う化学式酸素発生機の、一部分を切り欠いて示した側面図である。
【０００８】
【図２】図２は、図１の円Ａで囲まれた部分の拡大図である。
【０００９】
【図３】図３は、一実施形態に従う点火システムのいくつかの構成要素の分離図である。
【００１０】
【図４】図４は、実施形態に従う化学式酸素発生機の一部分の斜視図である。
【発明を実施するための形態】
【００１１】
本文において、法定要件を満たすべく、本発明の実施形態の主題事項を具体的に記述するが、この記述は請求項の範囲を限定することを必ずしも意図するものではない。請求項の主題事項は、他の方法によって具体化されてもよく、この記述とは異なる要素又は工程を含んでもよく、他の現存する技術又は将来の技術と共に使用されてもよい。この記述は、個別の工程の順序又は要素の配置が明示的に記述されている場合を除き、様々な工程又は要素の間の何らの具体的な順序又は配置も暗示しているものと解釈されるべきではない。
【００１２】
化学式酸素発生機８であって、その内部の核心部（コア）２６の化学反応を経て酸素を発生させるように構成された化学式酸素発生機８についてここに開示する。化学式酸素発生機８は、核心部２６を点火して化学反応を開始させる点火システム１２を含む。点火システム１２はバネ１４を含み、バネ１４は、解放されると、点火プランジャ２２を核心部２６の導火キャップ１８内に打ち込んで、化学反応を開始させて酸素を発生させる。安全ピン１６がバネ１４を収縮位置に維持することにより、バネ１４が解放されるまでエネルギーが維持される。
【００１３】
化学式酸素発生機８は、化学的な核心部２６を有する本体１０を含み、この化学的な核心部２６は、点火されると燃えて酸素を作り出すように設計されている。本体１０の内部は、点火システム１２の大部分を収容するように設計されている。このように、点火システム１２の大部分は、化学式酸素発生機８の本体１０の内部に収容され得る。いくつかの実施形態では、図２に示されるように、酸素発生機８の核心部２６の上面は、点火システム１２の少なくとも一部を受ける凹部２４を含む。据え付けフランジ２０が、点火システム１２を凹部２４内に据え付ける。
【００１４】
図２に示されるように、バネ１４の大部分と点火プランジャ２２の大部分とは、化学式酸素発生機８の本体１０内の核心部２６の凹部２４内に位置付けられる。フランジ２０の一部もまた凹部２４内に位置付けられる。図示された実施形態において、図１、２、及び４に示されるように、点火プランジャ２２の一部、バネ１４の一部、及びフランジ２０の一部は、化学式酸素発生機８の本体１０の外部にある。図示された実施形態において、バネ１４、点火プランジャ２２及びフランジ２０は全て、それらが化学式酸素発生機８の本体１０内の核心部２６の凹部２４内に収容され得るように、各々の高さが低くされている。
【００１５】
点火システム１２の大部分が本体１０内に収容されるように化学式酸素発生機８を設計することにより、点火システム１２の、酸素発生機８の本体１０よりも外部にある部分の高さＸ（図４）が低くされている。いくつかの非限定的な実施形態において、高さＸは、約０．２５インチ（約０．６３５ｃｍ）である。
【００１６】
化学式酸素発生機８の大きさは、いくつかの要因によって限定され得る。例えば、もしも航空機や他の構造物の中に収容されるならば、そのような発生機の全体的な最大寸法は、酸素発生機８の周囲の、既存する囲い部によって規定される。開示された点火システム１２では、点火システム１２の、酸素発生機８の本体１０よりも外部にある部分の高さＸを低減することで、酸素発生機８の全体的な長さを増加させることなく、酸素発生機８の全体的な酸素発生容量を増加させている。これによって、酸素発生機８の全体的な大きさを維持しつつ、酸素発生機８の持続期間を増加させることができる。換言すると、いかなる酸素発生容量のための酸素発生機８についても全体の長さを削減することができる。
【００１７】
上述された内容は、本発明の実施形態を例示し、説明し、記述する目的で提供されたものである。これらの実施形態に対する更なる改良及び適応は、当業者にとって明らかとなるであろうし、本発明の範囲や意図から逸脱しない範囲で成されてもよい。図示された又は上述された構成要素の異なる配置が可能であるとともに、図示されていない又は記述されていない構成要素及び工程もまた可能である。同様に、いくつかの特徴及びサブコンビネーションが有用であり、他の特徴及びサブコンビネーションに言及することなくこれらを使用し得る。本発明の実施形態は、限定する目的ではなく例示の目的で記載されたものであり、代替的な実施形態が本特許の読者にとって明らかとなるであろう。したがって、本発明は、上述された又は図示された実施形態に限定されず、そして以下の請求項の範囲から逸脱しない範囲で様々な実施形態や変形例を得ることができる。
【図１】
0006484232.tif 000002
【図２】
0006484232.tif 000003
【図３】
0006484232.tif 000004
【図４】
0006484232.tif 000005